(57)【要約】【課題】通信回線に接続されていない画像形成装置において、装着された消耗品が特定の消耗品か否かを識別するための識別情報を更新することができる画像形成装置を提供する。【解決手段】通信回線に接続されていない画像形成装置であって、画像形成装置に交換可能に装着される消耗品を特定する識別情報を読み取る読み取り手段と、装着された消耗品が当該消耗品以外の消耗品を特定する複数の識別情報を含む消耗品か否かを判別する判別手段と、消耗品の複数の識別情報を追加して格納する書き換え可能な記憶手段と、を備えた。【選択図】図５
2019061063.tif 000002
【特許請求の範囲】
【請求項１】
通信回線に接続されていない画像形成装置であって、
前記画像形成装置に交換可能に装着される消耗品を特定する識別情報を読み取る読み取り手段と、
装着された前記消耗品が当該消耗品以外の消耗品を特定する複数の識別情報を含む消耗品か否かを判別する判別手段と、
前記消耗品の前記複数の識別情報を追加して格納する書き換え可能な記憶手段と、を備えた、
ことを特徴とする画像形成装置。
【請求項２】
前記識別情報は、前記画像形成装置の制御ソフトウェア更新時に前記記憶手段に追加して格納される、
ことを特徴とする請求項１に記載の画像形成装置。
【請求項３】
前記識別情報は、前記消耗品に備わる記憶媒体に格納され、前記消耗品が前記画像形成装置に装着された際に前記記憶手段に追加して格納される、
ことを特徴とする請求項１又は２に記載の画像形成装置。
【請求項４】
装着された前記消耗品が、自装置に装着されていた前記消耗品であると判別された場合、前記読み取り手段は前記消耗品に含まれる前記消耗品の使用履歴情報を読み出して、画像形成を行う、
ことを特徴とする請求項１ないし３のいずれか１項に記載の画像形成装置。
【請求項５】
装着された前記消耗品が、自装置に装着されていた前記消耗品でないと判別された場合、前記識別情報を参照して前記消耗品の前記識別情報が前記記憶手段に格納された前記識別情報のひとつと一致した場合には純正品でないと判別して、前記消耗品の選択指示のための情報を表示する、
ことを特徴とする請求項１ないし４のいずれか１項に記載の画像形成装置。
【請求項６】
前記判別された純正品でない消耗品が選択された場合には、前記管理情報に含まれる前記消耗品の前記固有情報に基づいて画像形成のための条件の設定を行う、
ことを特徴とする請求項５に記載の画像形成装置。
【請求項７】
装着された前記消耗品が、自装置に装着されていた前記消耗品でないと判別された場合、前記識別情報を参照して前記消耗品の前記識別情報が前記記憶手段に格納された前記識別情報のいずれとも一致しない場合には純正品と判別して、前記消耗品の識別情報を更新するとともに前記消耗品の使用履歴情報を読み出して、画像形成を行う、
ことを特徴とする請求項５に記載の画像形成装置。
【発明の詳細な説明】
【技術分野】
【０００１】
本発明は、画像形成装置に関する。
【背景技術】
【０００２】
画像形成装置に搭載されたトナーカートリッジの使用状況を管理サーバにより管理するようにした消耗品管理システムにおいて、トナーカートリッジは、識別情報を備え、画像形成装置は、識別情報を備えるとともに、ネットワークを介して管理サーバと接続可能に構成され、管理サーバの記憶部には、画像形成装置に使用される所定のトナーカートリッジに関する情報が予め登録され、管理サーバは、ネットワークを介して画像形成装置の識別情報と画像形成装置に搭載されたトナーカートリッジの識別情報とを入手するとともに、画像形成装置の使用状況とトナーカートリッジの使用状況とを入手する消耗品管理システムが知られている（特許文献１）。
【０００３】
機器に装着された交換部品を特定するための固有情報をネットワークを介して検出するステップと、交換部品の固有情報を登録した記憶手段にアクセスし、上記の検出した固有情報と登録した固有情報とを照合することにより、上記機器に装着された交換部品が記憶手段に登録した純正品であるかの判断を行うステップとを、プログラムされたコンピュータに実行させる純正品判別方法も知られている（特許文献２）。
【先行技術文献】
【特許文献】
【０００４】
【特許文献１】特開２０１５−１４８７５１号公報
【特許文献２】特開２００２−２０２６９７号公報
【発明の概要】
【発明が解決しようとする課題】
【０００５】
本発明は、通信回線に接続されていない画像形成装置において、消耗品が特定の消耗品か否かを識別するための識別情報を更新することができる画像形成装置を提供する。
【課題を解決するための手段】
【０００６】
前記課題を解決するために、請求項１に記載の画像形成装置は、
通信回線に接続されていない画像形成装置であって、
前記画像形成装置に交換可能に装着される消耗品を特定する識別情報を読み取る読み取り手段と、
装着された前記消耗品が当該消耗品以外の消耗品を特定する複数の識別情報を含む消耗品か否かを判別する判別手段と、
前記消耗品の前記複数の識別情報を追加して格納する書き換え可能な記憶手段と、を備えた、
ことを特徴とする。
【０００７】
請求項２記載の発明は、請求項１に記載の画像形成装置において、
前記識別情報は、前記画像形成装置の制御ソフトウェア更新時に前記記憶手段に追加して格納される、
ことを特徴とする。
【０００８】
請求項３記載の発明は、請求項１又は２に記載の画像形成装置において、
前記識別情報は、前記消耗品に備わる記憶媒体に格納され、前記消耗品が前記画像形成装置に装着された際に前記記憶手段に追加して格納される、
ことを特徴とする。
【０００９】
請求項４記載の発明は、請求項１ないし３のいずれか１項に記載の画像形成装置において、
装着された前記消耗品が、自装置に装着されていた前記消耗品であると判別された場合、前記読み取り手段は前記消耗品に含まれる前記消耗品の使用履歴情報を読み出して、画像形成を行う、
ことを特徴とする。
【００１０】
請求項５記載の発明は、請求項１ないし４のいずれか１項に記載の画像形成装置において、
装着された前記消耗品が、自装置に装着されていた前記消耗品でないと判別された場合、前記識別情報を参照して前記消耗品の前記識別情報が前記記憶手段に格納された前記識別情報のひとつと一致した場合には純正品でないと判別して、前記消耗品の選択指示のための情報を表示する、
ことを特徴とする。
【００１１】
請求項６記載の発明は、請求項５に記載の画像形成装置において、
前記判別された純正品でない消耗品が選択された場合には、前記管理情報に含まれる前記消耗品の前記固有情報に基づいて画像形成のための条件の設定を行う、
ことを特徴とする。
【００１２】
請求項７記載の発明は、請求項５に記載の画像形成装置において、
装着された前記消耗品が、自装置に装着されていた前記消耗品でないと判別された場合、前記識別情報を参照して前記消耗品の前記識別情報が前記記憶手段に格納された前記識別情報のいずれとも一致しない場合には純正品と判別して、前記消耗品の識別情報を更新するとともに前記消耗品の使用履歴情報を読み出して、画像形成を行う、
ことを特徴とする。
【発明の効果】
【００１３】
請求項１に記載の発明によれば、通信回線に接続されていない画像形成装置であっても、装着された消耗品が特定の識別情報に該当する消耗品か否かを識別することができる。
【００１４】
請求項２に記載の発明によれば、画像形成装置の制御ソフトウェアを更新する際に画像形成装置に蓄積されている消耗品の識別情報を更新することができる。
【００１５】
請求項３に記載の発明によれば、消耗品を新品に交換する度に画像形成装置に蓄積されている消耗品の識別情報を更新することができる。
【００１６】
請求項４に記載の発明によれば、画像形成装置の生産性の低下を抑制することができる。
【００１７】
請求項５に記載の発明によれば、使用者に純正品でない消耗品が装着された情報を提供することができる。
【００１８】
請求項６に記載の発明によれば、純正品でない消耗品を使用する場合であっても、画質不良の発生や画像形成装置の損傷を抑制することができる。
【００１９】
請求項７に記載の発明によれば、画像形成装置の生産性の低下を抑制することができる。
【図面の簡単な説明】
【００２０】
【図１】画像形成装置の機能構成の一例を示すブロック図である。
【図２】ファームウェア管理装置と画像形成装置の画像形成制御部との情報のやり取りを示すブロック図である。
【図３】トナーカートリッジのＣＲＵＭと画像形成装置の画像形成制御部との情報のやり取りを示すブロック図である。
【図４】ＣＲＵＭの記憶領域のブロック図である。
【図５】画像形成装置の非純正消耗品リストの更新を行う処理の流れを示すフローチャートである。
【図６】トナーカートリッジＴＣが装着された際に非純正消耗品リストの更新を行う処理の流れを示すフローチャートである。
【図７】画像形成装置に消耗品が装着された場合の処理の流れを示すフローチャートである。
【図８】ＣＲＵＭの記憶領域の一例を示すブロック図である。
【図９】通信回線に接続された比較例の画像形成装置と非純正消耗品管理リストを記憶したクラウドサーバを示すブロック図である。
【発明を実施するための形態】
【００２１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２２】
（１）画像形成装置の全体構成及び動作
図１は本実施形態に係る画像形成装置１の機能構成の一例を示すブロック図である。
画像形成装置１は、制御装置１０、給紙装置２０、感光体ユニット３０、現像装置４０、トナーカートリッジＴＣ、転写装置５０、定着装置６０、電源装置７０、操作表示装置８０、記憶装置９０、露光装置ＬＨを備えて構成されている。
【００２３】
制御装置１０は、画像形成装置１の動作を制御する画像形成制御部１１と、印刷処理要求に応じた画像データを準備するコントローラ部１２、露光装置ＬＨの点灯を制御する露光制御部１３、電源装置７０を制御する電源制御部１４、給紙装置２０の用紙搬送を制御する搬送制御部１５、操作表示装置８０に情報表示する表示制御部１６等を有する。電源装置７０は、感光体ユニット３０、現像装置４０、転写装置５０等に画像形成のための高電圧を印加するとともに、露光装置ＬＨ、定着装置６０に電力を供給する。
【００２４】
画像形成制御部１１は、コントローラ部１２から画像形成開始指示信号及び画像データを受け取り、給紙装置２０による用紙搬送、感光体ユニット３０、現像装置４０、転写装置５０、定着装置６０、露光制御部１３による画像形成、電源制御部１４による高電圧印加及び電力供給、操作表示装置における表示、記憶装置９０からのデータの受け取り及び情報の更新等の制御を行う。
【００２５】
コントローラ部１２は、外部の情報送信装置（例えばパーソナルコンピュータ等）から入力された印刷情報を潜像形成用の画像データに変換する。画像データは、画像形成制御部１１及び露光制御部１３を介して、予め設定されたタイミングで駆動信号として露光装置ＬＨに出力され、感光体ユニット３０の感光体ドラム３１上に潜像形成される。
【００２６】
消耗品の一例としての感光体ユニット３０は、感光体ドラム３１を含む、画像形成装置１の本体内に着脱可能とされた交換可能なユニットであり、画像形成制御部１１と電気的に接続された記憶媒体の一例としてのＣＲＵＭ（Customer Replaceable Unit Memory）１００を含んでいる。ＣＲＵＭ１００は書き換え可能な不揮発性メモリ１１０（ＥＥＰＲＯＭ）を備えて構成され、画像形成制御部１１は、ＣＲＵＭ１００に保持された感光体ユニット３０に関する管理データを用いて、各種の制御を行う。
【００２７】
感光体ユニット３０は、画像形成装置１の本体へ装着された状態では、感光体ドラム３１の回転方向にそって、露光装置ＬＨ、現像装置４０、転写装置５０が感光体ドラム３１に対向して配置され、感光体ドラム３１上にトナー像が形成される。感光体ドラム３１上に形成されたトナー像は給紙装置２０から搬送された用紙に転写装置５０を介して転写される。
【００２８】
画像形成装置１に交換可能に装着される消耗品の一例としてのトナーカートリッジＴＣは、トナーを収容し、現像装置４０にトナーを補給する。そして、トナーカートリッジＴＣは、内部に画像形成制御部１１と電気的に接続された記憶媒体の一例としてのＣＲＵＭ２００を含んでいる。ＣＲＵＭ２００は書き換え可能な不揮発性メモリ２１０（ＥＥＰＲＯＭ：Electrically Erasable and Programmable Read Only Memory）を備えて構成され、画像形成制御部１１は、ＣＲＵＭ２００に保持されたトナーカートリッジＴＣに関する管理データを用いて、各種の制御を行う。
【００２９】
転写装置５０においてトナー像が転写された用紙は、トナー像が未定着の状態で定着装置６０に搬送される。定着装置６０に搬送された用紙は、加圧と加熱の作用でトナー像が定着され、例えば画像形成装置１が備える排紙トレイ（不図示）上へ排出される。
【００３０】
操作表示装置８０は、いわゆるユーザーインターフェースに相当するもので、液晶表示パネル、各種操作ボタン、タッチパネル等を組み合わせて構成され利用者による各種の設定や指示の入力及び情報表示に用いられる。
【００３１】
記憶装置９０は、ＨＤＤ（Hard Disk Drive）やフラッシュメモリ等から成る不揮発性の書き換え可能な記憶装置であり、画像形成制御部１１のＣＰＵは、記憶装置９０のプログラム記憶領域９１に記憶されている各種プログラムを実行する。また、プログラム記憶領域９１には、画像形成装置１のファームウェアの更新や感光体ユニット３０やトナーカートリッジＴＣの識別情報の更新を管理する更新管理プログラム記憶されている。
【００３２】
ファームウェアは、画像形成装置１のメーカ等により、不具合が修正されたり、新しい機能が追加されたりすると、新しいバージョン（版）がリリースされる。記憶装置９０のファームウェア記憶領域９２には、ファームウェアがバージョンアップされる度に、新しいバージョンのファームウェアが上書きされることなく追加的に記憶される。
【００３３】
また、記憶装置９０の識別情報記憶領域９３には、感光体ユニット３０やトナーカートリッジＴＣの識別情報である非純正消耗品リストが新たに追加される度に、新しい消耗品リストが上書きされることなく追加的に記憶される。画像形成装置１に感光体ユニット３０やトナーカートリッジＴＣが装着されて使用される場合には、識別情報記憶領域９３に記憶されている非純正消耗品リストが読み出されて用いられる。
【００３４】
（２）識別情報の更新
図２はファームウェア管理装置３００と画像形成装置１の画像形成制御部１１との情報のやり取りを示すブロック図、図３は画像形成装置１のファームウェアの更新を行う際に非純正消耗品リストの更新を行う処理の流れを示すフローチャート、図４は非純正消耗品管理リストの更新例を示す説明図、図５はトナーカートリッジＴＣのＣＲＵＭ２００と画像形成装置１の画像形成制御部１１との情報のやり取りを示すブロック図、図６はトナーカートリッジＴＣが装着された際に非純正消耗品リストの更新を行う処理の流れを示すフローチャート、図９は通信回線に接続された比較例の画像形成装置１０００と非純正消耗品管理リストを記憶したクラウドサーバ２０００を示すブロック図である。
【００３５】
（２．１）非純正消耗品管理リスト
画像形成装置１においては、画像形成装置１のメーカが製造した消耗品の一例である感光体ユニットやトナーカートリッジ（以下、純正消耗品と記す）の他に、当該メーカとは異なるメーカが製造した感光体ユニットやトナーカートリッジ（以下、非純正消耗品と記す）が使用されて画像形成が行われる。
【００３６】
画像形成装置１において、非純正消耗品が使用される場合には、純正消耗品が使用された場合と略同様の画質を再現したり、使用時の画像形成装置１の損傷を防止するために、画像形成のための条件の設定が行われる。
そのために、図９に示すように、画像形成装置のメーカにおいては、非純正消耗品の識別情報であるシリアル番号ＳＮをリスト化した非純正消耗品管理リストＳＲをクラウドサーバ２０００の消耗品リスト記憶領域に記憶して、クラウドサーバ２０００と通信回線５００を介して接続された画像形成装置１０００が非純正消耗品のシリアル番号ＳＮを取得できるようになっている。
【００３７】
画像形成装置１０００は、消耗品が装着されると、消耗品の識別情報を読み取って、クラウドサーバ２０００の非純正消耗品管理リストＳＲのシリアル番号ＳＮを参照して、装着された消耗品が非純正消耗品か否かを判別する。
【００３８】
一方、通信回線への接続環境が整っていない場所に設置される画像形成装置や当該接続環境が整っていてもセキュリティ上の要請から、通信回線に接続されずに設置された画像形成装置のように、クラウドサーバＳと通信回線５００を介して接続されていない画像形成装置においては、消耗品の識別のために非純正消耗品管理リストＳＲのシリアル番号ＳＮを参照できないという問題があった。
【００３９】
（２．２）非純正消耗品管理リストの更新
本実施形態に係る画像形成装置１は、図２に示すように、消耗品の複数の識別情報を追加して格納する書き換え可能な記憶手段としての記憶装置９０の識別情報記憶領域９３に、感光体ユニット３０やトナーカートリッジＴＣの識別情報である非純正消耗品管理リストＳＲが記憶されている。
【００４０】
画像形成制御部１１は、画像形成装置１に交換可能に装着される消耗品を特定する識別情報を読み取る読み取り手段としての識別情報読み取り部１１１と、装着された消耗品が識別情報を含む消耗品か否かを判別する判別手段としての判別部１１２と、を備え、消耗品が装着された場合には、消耗品の識別情報であるシリアル番号ＳＮを読み取って、保有する非純正消耗品管理リストＳＲのシリアル番号ＳＮを参照して装着された消耗品が非純正品か否かを判別している。
【００４１】
記憶装置９０の識別情報記憶領域９３に記憶された非純正消耗品管理リストＳＲは、ファームウェア管理装置３００を介してファームウェアがダウンロードされる際に、図３に示す処理によって、最新の非純正消耗品管理リストＳＲがダウンロードされ、最新の非純正消耗品管理リストＳＲが上書きされることなく追加的に記憶される。ここで、ファームウェア管理装置３００は、画像形成装置１を制御するファームウェアを管理するコンピュータ装置であり、画像形成制御部１１のインターフェース１１５とインターフェース３０１を介して接続される。
【００４２】
画像形成制御部１１は、ファームウェア管理装置３００を介したファームウェアの更新を受け付ける（Ｓ１０１）と、非純正消耗品管理リストＳＲが添付されているか否か判断する（Ｓ１０２）。非純正消耗品管理リストＳＲが添付されている場合（Ｓ１０２：Ｙｅｓ）、添付されている非純正消耗品管理リストＳＲを取得して（Ｓ１０３）、取得した非純正消耗品管理リストＳＲを記憶装置９０の識別情報記憶領域９３に追加的に書き込んで非純正消耗品管理リストＳＲを更新する（Ｓ１０４）。
この処理により、図４に一例として示すように、記憶装置９０の識別情報記憶領域９３に記憶されていた第２版の非純正消耗品管理リストＳＲに対して新たな識別情報としてのシリアル番号ＳＮが追加された第５版の非純正消耗品管理リストＳＲが追加される。
【００４３】
これにより、通信回線５００に接続されていない画像形成装置１は、記憶装置９０の識別情報記憶領域９３に最新の非純正消耗品管理リストＳＲを保有して、装着された消耗品が非純正消耗品か否かを識別することができる。
【００４４】
「変形例」
図５に示すように、最新の非純正消耗品管理リストＳＲは、トナーカートリッジＴＣのＣＲＵＭ２００のＥＥＰＲＯＭ２１０に格納されて、トナーカートリッジＴＣが装着された際に、図６に示す処理によって、最新の非純正消耗品管理リストＳＲがダウンロードされ、記憶装置９０の識別情報記憶領域９３に追加的に記憶されてもよい。
尚、図５においては画像形成制御部１１とＣＲＵＭ２００との通信は有線通信として表しているが、無線通信であっても良い。
【００４５】
画像形成制御部１１は、トナーカートリッジＴＣの装着を検知した場合（Ｓ２０１）、非純正消耗品管理リストＳＲが添付されているか否か判断する（Ｓ２０２）。非純正消耗品管理リストＳＲが添付されている場合（Ｓ２０２：Ｙｅｓ）、添付されている非純正消耗品管理リストＳＲを取得して（Ｓ２０３）、取得した非純正消耗品管理リストＳＲを記憶装置９０の識別情報記憶領域９３に追加的に書き込んで非純正消耗品管理リストＳＲを更新する（Ｓ２０４）。
【００４６】
尚、消耗品としては、トナーカートリッジＴＣに限らず、感光体ユニット３０であっても同様に感光体ユニット３０のＣＲＵＭ１００に非純正消耗品管理リストＳＲを格納することで、感光体ユニット３０が装着された際に、記憶装置９０の識別情報記憶領域９３に追加的に書き込んで最新の非純正消耗品管理リストＳＲを更新することができる。
これにより、消耗品を新品に交換する度に画像形成装置１に蓄積されている非純正消耗品管理リストＳＲを更新することができる。
【００４７】
（３）消耗品の検知と印刷処理
図７は画像形成装置１に消耗品が装着された場合の処理の流れを示すフローチャート、図８はＣＲＵＭ２００の記憶領域の一例を示すブロック図である。
以下、非純正消耗品管理リストＳＲを有する画像形成装置１に、消耗品の一例としてのトナーカートリッジＴＣが装着された際の画像形成動作について説明する。
【００４８】
図８に例示するように、トナーカートリッジＴＣのＣＲＵＭ１００のＥＥＰＲＯＭ２１０は、画像形成制御部１１から読み出される固有情報を格納した読み出し領域、及び画像形成制御部１１との間で読み出し・書き込みが行われる管理情報を記憶するための読み出し・書き込み領域を有している。
【００４９】
読み出し領域としては、一例として、トナーカートリッジＴＣに固有なトナーカートリッジＴＣのシリアル番号を保持する領域２１１、トナーの色情報を保持する領域２１２などが挙げられる。
読み出し・書き込み領域としては、トナー供給時間の累積値情報を保持する領域２１４、印刷枚数情報を保持する領域２１５などが挙げられる。
【００５０】
画像形成制御部１１は、トナーカートリッジＴＣの装着を検出した場合（Ｓ３０１）、トナーカートリッジＴＣのＣＲＵＭ２００に格納されている消耗品の識別情報を読み取る（Ｓ３０２）。具体的には、識別情報読み取り部１１１でＣＲＵＭ２００に格納されているシリアル番号ＳＮを読み取る。
【００５１】
そして、判別部１１２で、直前まで自装置に装着されていたトナーカートリッジＴＣであるか否か判別する（Ｓ３０３）。直前まで自装置に装着されていたトナーカートリッジＴＣであると判別された場合（Ｓ３０３：Ｙｅｓ）には、使用履歴情報の一例としてのトナー供給時間の累積値情報及び印刷枚数情報を取得して（Ｓ３０８）、指定された印刷を実行する（Ｓ３０９）。これにより、新たに装着されたトナーカートリッジＴＣに対して画像形成のための条件の新たな設定は行われず、画像形成装置１の生産性の低下を抑制することができる。
【００５２】
判別部１１２での判別の結果、直前まで自装置に装着されていたトナーカートリッジＴＣではないと判別された場合（Ｓ３０３：Ｎｏ）には、識別情報読み取り部１１１で読み取られた識別情報であるシリアル番号ＳＮが自装置に記憶されている非純正消耗品管理リストＳＲのシリアル番号ＳＮと一致するか否か判断される（Ｓ３０４）。
【００５３】
読み取られたシリアル番号ＳＮが非純正消耗品管理リストＳＲのシリアル番号ＳＮのひとつと一致した場合（Ｓ３０４：Ｙｅｓ）、すなわち、装着されたトナーカートリッジＴＣが非純正品と判別された場合、その旨を操作表示装置８０に表示する（Ｓ３０５）。これにより、使用者に純正品でない消耗品が装着された情報を提供することができる。
【００５４】
装着されたトナーカートリッジＴＣが非純正品である旨を操作表示装置８０に表示（Ｓ３０５）した後、使用者による印刷指示を受け付けた場合（Ｓ３０７：Ｙｅｓ）、トナー供給時間の累積値情報及び印刷枚数情報を取得して（Ｓ３０８）、指定された印刷を実行する（Ｓ３０９）。これにより、純正品でない消耗品を使用する場合であっても、これにより、画質不良の発生や画像形成装置１の損傷を抑制することができる。
【００５５】
読み取られたシリアル番号ＳＮが非純正消耗品管理リストＳＲのシリアル番号ＳＮのいずれとも一致しない場合（Ｓ３０４：Ｎｏ）、すなわち、装着されたトナーカートリッジＴＣが新しい純正品と判別された場合、自装置が記憶していたシリアル番号ＳＮを、読み取った新たなシリアル番号ＳＮに更新する（Ｓ３０６）。
そして、使用者による印刷指示を受け付けた場合（Ｓ３０７：Ｙｅｓ）、トナー供給時間の累積値情報及び印刷枚数情報を取得して（Ｓ３０８）、指定された印刷を実行する（Ｓ３０９）。これにより、新たに装着されたトナーカートリッジＴＣに対して画像形成のための条件の新たな設定は行われず、画像形成装置１の生産性の低下を抑制することができる。
【００５６】
尚、本実施形態においては、消耗品の一例として、トナーカートリッジＴＣが装着された場合について説明したが、消耗品としてはトナーカートリッジＴＣに限られない。
装着される消耗品としては、ＣＲＵＭ１００を備えた感光体ユニット３０が画像形成装置１に装着された場合であっても、識別情報読み取り部１１１でＣＲＵＭ１００に格納されているシリアル番号ＳＮを読み取って、図８に示す処理のフローを実行することで、純正品でない感光体ユニット３０を使用する場合であっても、これにより、画質不良の発生や画像形成装置１の損傷を抑制することができる。
【符号の説明】
【００５７】
１・・・画像形成装置
１０・・・制御装置
１１・・・画像形成制御部
１１１・・・識別情報読み取り部
１１２・・・判別部
３０・・・感光体ユニット
１００・・・ＣＲＵＭ（感光体ユニット）
８０・・・操作表示装置
９０・・・記憶装置
９１・・・プログラム記憶領域
９２・・・ファームウェア記憶領域
９３・・・識別情報記憶領域
ＴＣ・・・トナーカートリッジ
２００・・・ＣＲＵＭ（トナーカートリッジ）
ＳＮ・・・シリアル番号
ＳＲ・・・非純正消耗品管理リスト  
【図１】
2019061063.tif 000003
【図２】
2019061063.tif 000004
【図３】
2019061063.tif 000005
【図４】
2019061063.tif 000006
【図５】
2019061063.tif 000007
【図６】
2019061063.tif 000008
【図７】
2019061063.tif 000009
【図８】
2019061063.tif 000010
【図９】
2019061063.tif 000011